【手続補正書】
【提出日】平成28年1月13日(2016.1.13)
【手続補正１】
【補正対象書類名】特許請求の範囲
【補正対象項目名】全文
【補正方法】変更
【補正の内容】
【特許請求の範囲】
【請求項１】
送信系列をＳＴＢＣ（Space-Time  Block  Coding）またはＤＳＴＢＣ（Differential  Space-Time  Block  Coding）方式を用いて符号化して送信する送信装置であって、
送信系列を所定ビット数の３つのビット列に分割するビット分割手段と、
前記ビット分割手段から出力されたビット列のうち、２つのビット列についてそれぞれ位相変調して位相変調シンボルを生成する位相変調手段と、
前記位相変調の対象とされなかったビット列の値に基づいて、前記位相変調手段で生成された２つの位相変調シンボルの位相をそれぞれ任意の位相だけ回転して位相差情報変調シンボルを生成する位相差情報変調手段と、
前記位相差情報変調手段から出力された２つの位相差情報変調シンボルをＳＴＢＣ符号化またはＤＳＴＢＣ符号化する符号化手段と、
を備えることを特徴とする送信装置。
【請求項２】
前記位相差情報変調手段は、
１ビットのビット列が前記ビット分割手段から入力される場合、
入力されるビット列が０のとき、前記２つの位相変調シンボルの一方である第１の位相変調シンボルの位相を位相回転量ｒ１で位相回転し、かつ前記２つの位相変調シンボルの他方である第２の位相変調シンボルの位相を位相回転量ｒ２（ただし、ｒ２≠ｒ１）で位相回転し、
入力されるビット列が１のとき、前記第１の位相変調シンボルの位相を位相回転量ｒ２で位相回転し、かつ前記第２の位相変調シンボルの位相を位相回転量ｒ１で位相回転する、
ことを特徴とする請求項１に記載の送信装置。
【請求項３】
送信系列をＳＴＢＣ（Space-Time  Block  Coding）またはＤＳＴＢＣ（Differential  Space-Time  Block  Coding）方式を用いて符号化して送信する送信装置であって、
送信系列を所定ビット数の４つのビット列に分割するビット分割手段と、
前記ビット分割手段から出力されたビット列のうち、２つのビット列についてそれぞれ位相変調して位相変調シンボルを生成する位相変調手段と、
前記位相変調の対象とされなかった２つのビット列のうちの一方のビット列の値に基づいて、前記位相変調手段で生成された２つの位相変調シンボルの位相をそれぞれ任意の位相だけ回転して位相差情報変調シンボルを生成する位相差情報変調手段と、
前記位相変調の対象とされなかった２つのビット列のうちの他方のビット列の値に基づいて、前記位相差情報変調手段で生成された２つの位相差情報変調シンボルの振幅をそれぞれ調整して振幅情報変調シンボルを生成する振幅情報変調手段と、
前記振幅情報変調手段から出力された２つの振幅情報変調シンボルをＳＴＢＣ符号化またはＤＳＴＢＣ符号化する符号化手段と、
を備えることを特徴とする送信装置。
【請求項４】
前記位相差情報変調手段は、
１ビットのビット列が前記ビット分割手段から入力される場合、
入力されるビット列が０のとき、前記２つの位相変調シンボルの一方である第１の位相変調シンボルの位相を位相回転量ｒ１で位相回転し、かつ前記２つの位相変調シンボルの他方である第２の位相変調シンボルの位相を位相回転量ｒ２（ただし、ｒ２≠ｒ１）で位相回転し、
入力されるビット列が１のとき、前記第１の位相変調シンボルの位相を位相回転量ｒ２で位相回転し、かつ前記第２の位相変調シンボルの位相を位相回転量ｒ１で位相回転する、
ことを特徴とする請求項３に記載の送信装置。
【請求項５】
前記位相差情報変調手段は、
２ビットのビット列が前記ビット分割手段から入力される場合、
入力されるビット列が００のとき、前記２つの位相変調シンボルの一方である第１の位相変調シンボルの位相を位相回転量ｒ１で位相回転し、かつ前記２つの位相変調シンボルの他方である第２の位相変調シンボルの位相を位相回転量ｒ１で位相回転し、
入力されるビット列が０１のとき、前記第１の位相変調シンボルの位相を位相回転量ｒ１で位相回転し、かつ前記第２の位相変調シンボルの位相を位相回転量ｒ２（ただし、ｒ２≠ｒ１）で位相回転し、
入力されるビット列が１０のとき、前記第１の位相変調シンボルの位相を位相回転量ｒ２で位相回転し、かつ前記第２の位相変調シンボルの位相を位相回転量ｒ１で位相回転し、
入力されるビット列が１１のとき、前記第１の位相変調シンボルの位相を位相回転量ｒ２で位相回転し、かつ前記第２の位相変調シンボルの位相を位相回転量ｒ２で位相回転する、
ことを特徴とする請求項３に記載の送信装置。
【請求項６】
前記振幅情報変調手段は、
１ビットのビット列が前記ビット分割手段から入力される場合、
入力されるビット列が０のとき、前記２つの位相差情報変調シンボルの一方である第１の位相差情報変調シンボルに振幅係数ａ１を乗算し、かつ前記２つの位相差情報変調シンボルの他方である第２の位相差情報変調シンボルに振幅係数ａ２（ただし、ａ２≠ａ１）を乗算し、
入力されるビット列が１のとき、前記第１の位相差情報変調シンボルに振幅係数ａ２を乗算し、かつ前記第２の位相差情報変調シンボルに振幅係数ａ１を乗算する、
ことを特徴とする請求項３、４または５に記載の送信装置。
【請求項７】
前記振幅係数ａ１およびａ２は、（(ａ１)2＋(ａ２)2）／２＝１の関係にあることを特徴とする請求項６に記載の送信装置。
【請求項８】
前記振幅情報変調手段は、
２ビットのビット列が前記ビット分割手段から入力される場合、
入力されるビット列が００のとき、前記２つの位相差情報変調シンボルの一方である第１の位相差情報変調シンボルに振幅係数ａ１を乗算し、かつ前記２つの位相差情報変調シンボルの他方である第２の位相差情報変調シンボルに振幅係数ａ２（ただし、ａ２≠ａ１）を乗算し、
入力されるビット列が０１のとき、前記第１の位相差情報変調シンボルに振幅係数ａ２を乗算し、かつ前記第２の位相差情報変調シンボルに振幅係数ａ１を乗算し、
入力されるビット列が１０のとき、前記第１の位相差情報変調シンボルに振幅係数ａ３（ただし、ａ３≠ａ１，ａ３≠ａ２）を乗算し、かつ前記第２の位相差情報変調シンボルに振幅係数ａ４（ただし、ａ４≠ａ１，ａ４≠ａ２，ａ４≠ａ３）を乗算し、
入力されるビット列が１１のとき、前記第１の位相差情報変調シンボルに振幅係数ａ４を乗算し、かつ前記第２の位相差情報変調シンボルに振幅係数ａ３を乗算する、
ことを特徴とする請求項３、４または５に記載の送信装置。
【請求項９】
前記振幅係数ａ１およびａ２は、（(ａ１)2＋(ａ２)2）／２＝１の関係にあり、かつ前記振幅係数ａ３およびａ４は、（(ａ３)2＋(ａ４)2）／２＝１の関係にあることを特徴とする請求項８に記載の送信装置。
【請求項１０】
送信系列をＳＴＢＣ（Space-Time  Block  Coding）またはＤＳＴＢＣ（Differential  Space-Time  Block  Coding）方式を用いて符号化して送信する送信装置であって、
送信系列を所定ビット数の３つのビット列に分割するビット分割手段と、
前記ビット分割手段から出力されたビット列のうち、２つのビット列についてそれぞれ位相変調して位相変調シンボルを生成する位相変調手段と、
前記位相変調の対象とされなかったビット列の値に基づいて、前記位相変調手段で生成された２つの位相変調シンボルの振幅をそれぞれ調整して振幅情報変調シンボルを生成する振幅情報変調手段と、
前記振幅情報変調手段から出力された２つの振幅情報変調シンボルをＳＴＢＣ符号化またはＤＳＴＢＣ符号化する符号化手段と、
を備えることを特徴とする送信装置。
【請求項１１】
前記ビット分割手段は、
前記位相変調手段に出力する２つのビット列のうち、一方の並び順を反対にすることを特徴とする請求項１、３または１０に記載の送信装置。
【請求項１２】
前記ビット分割手段は、
前記振幅情報変調手段に出力するビット列が特定の値の場合、前記位相変調手段に出力するビット列に０または１を付加することを特徴とする請求項１０または１１に記載の送信装置。
【請求項１３】
前記ビット分割手段は、
前記振幅情報変調手段に出力するビット列が特定の値の場合、前記位相変調手段に出力する２つのビット列の一部を重複させることを特徴とする請求項１０または１１に記載の送信装置。
【請求項１４】
前記振幅情報変調手段は、
２ビットのビット列が前記ビット分割手段から入力される場合、
入力されるビット列が００のとき、前記２つの位相変調シンボルの一方である第１の位相変調シンボルに振幅係数ａ１を乗算し、かつ前記２つの位相変調シンボルの他方である第２の位相変調シンボルに振幅係数ａ２（ただし、ａ２≠ａ１）を乗算し、
入力されるビット列が０１のとき、前記第１の位相変調シンボルに振幅係数ａ２を乗算し、かつ前記第２の位相変調シンボルに振幅係数ａ１を乗算し、
入力されるビット列が１０のとき、前記第１の位相変調シンボルに振幅係数ａ３（ただし、ａ３≠ａ１，ａ３≠ａ２）を乗算し、かつ前記第２の位相変調シンボルに振幅係数ａ４（ただし、ａ４≠ａ１，ａ４≠ａ２，ａ４≠ａ３）を乗算し、
入力されるビット列が１１のとき、前記第１の位相変調シンボルに振幅係数ａ４を乗算し、かつ前記第２の位相変調シンボルに振幅係数ａ３を乗算する、
ことを特徴とする請求項１０に記載の送信装置。
【請求項１５】
前記振幅係数ａ１およびａ２は、（(ａ１)2＋(ａ２)2）／２＝１の関係にあり、かつ前記振幅係数ａ３およびａ４は、（(ａ３)2＋(ａ４)2）／２＝１の関係にあることを特徴とする請求項１４に記載の送信装置。
【請求項１６】
送信系列をＳＴＢＣ（Space-Time  Block  Coding）またはＤＳＴＢＣ（Differential  Space-Time  Block  Coding）方式を用いて符号化して送信する場合のシンボルマッピング方法であって、
送信系列を所定ビット数の３つのビット列に分割するビット分割ステップと、
前記ビット分割ステップで得られた３つのビット列のうち、２つのビット列についてそれぞれ位相変調して位相変調シンボルを生成する位相変調ステップと、
前記位相変調の対象とされなかったビット列の値に基づいて、前記位相変調ステップで生成された２つの位相変調シンボルの振幅をそれぞれ調整して振幅情報変調シンボルを生成する振幅情報変調ステップと、
を含むことを特徴とするシンボルマッピング方法。
【請求項１７】
前記ビット分割ステップでは、
前記位相変調の対象とされる２つのビット列のうち、一方の並び順を反対にすることを特徴とする請求項１６に記載のシンボルマッピング方法。
【請求項１８】
前記ビット分割ステップでは、
前記位相変調の対象とされないビット列が特定の値の場合、前記位相変調の対象とされるビット列に０または１を付加することを特徴とする請求項１６または１７に記載のシンボルマッピング方法。
【請求項１９】
前記ビット分割ステップでは、
前記位相変調の対象とされないビット列が特定の値の場合、前記位相変調の対象とされる２つのビット列の一部を重複させることを特徴とする請求項１６または１７に記載のシンボルマッピング方法。
【請求項２０】
前記振幅情報変調ステップでは、
２ビットのビット列が前記ビット分割ステップで生成される場合、
生成されたビット列が００のとき、前記２つの位相変調シンボルの一方である第１の位相変調シンボルに振幅係数ａ１を乗算し、かつ前記２つの位相変調シンボルの他方である第２の位相変調シンボルに振幅係数ａ２（ただし、ａ２≠ａ１）を乗算し、
生成されたビット列が０１のとき、前記第１の位相変調シンボルに振幅係数ａ２を乗算し、かつ前記第２の位相変調シンボルに振幅係数ａ１を乗算し、
生成されたビット列が１０のとき、前記第１の位相変調シンボルに振幅係数ａ３（ただし、ａ３≠ａ１，ａ３≠ａ２）を乗算し、かつ前記第２の位相変調シンボルに振幅係数ａ４（ただし、ａ４≠ａ１，ａ４≠ａ２，ａ４≠ａ３）を乗算し、
生成されたビット列が１１のとき、前記第１の位相変調シンボルに振幅係数ａ４を乗算し、かつ前記第２の位相変調シンボルに振幅係数ａ３を乗算する、
ことを特徴とする請求項１６に記載のシンボルマッピング方法。
【請求項２１】
前記振幅係数ａ１およびａ２は、（(ａ１)2＋(ａ２)2）／２＝１の関係にあり、かつ前記振幅係数ａ３およびａ４は、（(ａ３)2＋(ａ４)2）／２＝１の関係にあることを特徴とする請求項２０に記載のシンボルマッピング方法。
【手続補正２】
【補正対象書類名】明細書
【補正対象項目名】発明の名称
【補正方法】変更
【補正の内容】
【発明の名称】送信装置およびシンボルマッピング方法
【手続補正３】
【補正対象書類名】明細書
【補正対象項目名】００４４
【補正方法】変更
【補正の内容】
【００４４】
ビット分割部２１は、入力される送信ビット列をＮビットずつ処理する。ＮはＤＳＴＢＣ符号化する２シンボルで送信するビット数である。そのＮビットをＮphビット、Ｎampビット、ＮaビットおよびＮbビットの４つに分割し、それぞれ位相差情報変調部１３、振幅情報変調部２２、位相変調部１２ａおよび位相変調部１２ｂに出力する。Ｎphビット、Ｎampビット、ＮaビットおよびＮbビットの値は、それぞれ位相差情報変調部１３、振幅情報変調部２２、位相変調部１２ａおよび位相変調部１２ｂでの変調処理に使用するビット数である。位相変調部１２ａおよび１２ｂでそれぞれＭa相位相変調とＭb相位相変調を行うとすると、Ｎa＝ｌｏｇ2ＭaおよびＮb＝ｌｏｇ2Ｍbビットとなる。また、本実施の形態では、Ｎph＝１、Ｎamp＝１である。
【手続補正４】
【補正対象書類名】明細書
【補正対象項目名】００５７
【補正方法】変更
【補正の内容】
【００５７】
本実施の形態の受信装置において、候補シンボル生成部６１は、ＤＳＴＢＣ符号化される２シンボルの全ての組み合わせを候補シンボルとして順次出力する。本実施の形態では、２シンボルでＮビット（＝６ビット）を送信しているため、Ｎビットカウンタで送信ビット系列の全候補を生成する。カウンタ値０から２N−１までをそれぞれビット系列として、送信装置のビット分割部２１、位相変調部１２ａ，１２ｂおよび位相差情報変調部１３，振幅情報変調部２２の処理と同じ処理を実施し、候補シンボル（ｚan，ｚbn）；n=0,1,…,2N-1を順次出力する。
【手続補正５】
【補正対象書類名】明細書
【補正対象項目名】００９８
【補正方法】変更
【補正の内容】
【００９８】
本実施の形態の受信装置において、候補シンボル生成部８１は、ＤＳＴＢＣ符号化される２シンボルの全ての組み合わせを候補シンボルとして順次出力する。本実施の形態では、２シンボルでＮビットを送信しているため、Ｎビットカウンタで送信ビット系列の全候補を生成する。カウンタ値０から２N−１までをそれぞれビット系列として、送信装置のビット分割部４１、位相変調部１２ａ，１２ｂおよび振幅情報変調部４３の処理と同じ処理を実施し、候補シンボル（ｚan，ｚbn），n=0,1,…,2N-1を順次出力する。
【手続補正６】
【補正対象書類名】明細書
【補正対象項目名】０１１５
【補正方法】変更
【補正の内容】
【０１１５】
以上の一連の処理を実施した場合の振幅情報変調部４３の出力である、振幅情報変調シンボルｚaおよびｚbをＩＱ平面にプロットしたコンステレーションを図２９に示す。図２９では、信号点を丸で表しており、各信号点に付している数字は、位相変調に割当てられたビット列である。なお、括弧つきの数字は、ビット分割部４２から位相変調部１２ａおよび１２ｂの両方に重複して出力されるビットである。図２９に示す通り、本実施の形態では、２つのシンボルｚa、ｚb間の位相差と振幅差の組合せに２ビットまたは３ビットの情報を割り当てている。また、ビット分割部４２で位相変調部１２ｂに出力するビット列の並び順を逆転したことにより、ｚbのマッピングにおいて、振幅情報変調部４３への入力ビットが異なる場合でも、同じビットの同じ値が極力同じ象限になるようにしている（例えば、（ｂ７、ｂ８）が（０、０）の場合は、第一象限にマッピングされる）。
【手続補正７】
【補正対象書類名】明細書
【補正対象項目名】０１１７
【補正方法】変更
【補正の内容】
【０１１７】
図３０は、実施の形態５の受信装置の構成例を示す図である。実施の形態４の受信装置（図２５参照）と共通の構成要素には図２５と同じ符号を付している。すなわち、本実施の形態の受信装置は、実施の形態４の受信装置の候補シンボル生成部８１を候補シンボル生成部９１に置き換えた構成となっている。本実施の形態では、実施の形態４の受信装置と異なる部分について説明を行う。
【手続補正８】
【補正対象書類名】明細書
【補正対象項目名】０１１８
【補正方法】変更
【補正の内容】
【０１１８】
本実施の形態の受信装置において、候補シンボル生成部９１は、ＤＳＴＢＣ符号化される２シンボルの全ての組み合わせを候補シンボルとして順次出力する。本実施の形態では、２シンボルでＮビットを送信しているため、Ｎビットカウンタで送信ビット系列の全候補を生成する。カウンタ値０から２N−１までをそれぞれビット系列として、送信装置のビット分割部４２、位相変調部１２ａ，１２ｂおよび振幅差情報変調部４３の処理と同じ処理を実施し、候補シンボル（ｚan，ｚbn），n=0,1,…,2N-1を順次出力する。
【手続補正９】
【補正対象書類名】図面
【補正対象項目名】図２２
【補正方法】変更
【補正の内容】
【図２２】
2014075772.tif 000001